(57)【要約】【課題】電源投入から撮影可能とするまでの時間を短縮する。【解決手段】撮像素子（２２）が繰り返し撮像する画像を表示部（１６）に順次表示する電子カメラ（１）は、画像に基づいて露出制御を行う露出制御部（３６）と、画像に基づいて表示部（１６）に表示する表示画像を生成する表示画像生成部（１９）と、露出制御部（３６）による露出制御を開始させ、露出制御が開始されてから表示画像生成部（１９）の初期化処理を開始させる順序制御を行う順序制御部（３１）とを備える。【選択図】図１
2011172010.tif 000002
【特許請求の範囲】
【請求項１】
撮像素子が繰り返し撮像する画像を表示部に順次表示する電子カメラであって、
前記画像に基づいて露出制御を行う露出制御部と、
前記画像に基づいて前記表示部に表示する表示画像を生成する表示画像生成部と、
前記露出制御部による前記露出制御を開始させ、前記露出制御が開始されてから前記表示画像生成部の初期化処理を開始させる順序制御を行う順序制御部と
を備えることを特徴とする電子カメラ。
【請求項２】
請求項１に記載の電子カメラであって、
前記順序制御部は、
前記露出制御部と前記表示画像生成部とに対する前記順序制御を電源投入後に行われる起動時の処理として行わせる
ことを特徴とする電子カメラ。
【請求項３】
請求項１又は請求項２に記載の電子カメラであって、
前記露出制御部は、
表示画像生成部が行う前記表示画像の生成と並行して露出制御を行う
ことを特徴とする電子カメラ。
【請求項４】
請求項１から請求項３のいずれかに記載の電子カメラであって、
前記順序制御部は、
前記露出制御部による前記露出制御を行っている間に、前記表示画像生成部による前記表示画像の生成を開始させる
ことを特徴とする電子カメラ。
【請求項５】
請求項１から請求項４のいずれかに記載の電子カメラであって、
前記順序制御部は、
前記露出制御部の初期化処理を、前記表示画像生成部による表示画像生成より先に行わせる
ことを特徴とする電子カメラ。
【請求項６】
請求項１から請求項５のいずれかに記載の電子カメラであって、
前記順序制御部は、
前記露出制御部の初期化処理を、前記表示画像生成部の初期化処理より先に行わせる
ことを特徴とする電子カメラ。
【請求項７】
請求項１から請求項６のいずれかに記載の電子カメラであって、
前記露出制御部と表示画像生成部を機能させる処理手順を示す情報を不揮発的に保持する第１記憶部と、
前記第１記憶部に記憶された前記処理手順を示す情報が書き込まれる第２記憶部と、
前記順序制御部は、
前記第１記憶部に記憶された、前記露出制御部が前記露出制御を行い撮影可能な状態とする処理手順を示す第１の情報を、前記第２記憶部に記憶させる第１処理と、
前記第１記憶部に記憶された、前記表示画像生成部が前記画像に基づいて前記表示部に表示する表示画像を生成する処理手順を示す第２の情報を、前記第２記憶部に記憶させる第２処理と、
を備え、
前記第１処理は、
前記第２処理と独立して、前記第２処理より先に該処理が行われる
ことを特徴とする電子カメラ。
【請求項８】
請求項７に記載の電子カメラであって、
前記第１処理によって前記第２記憶部に記憶された前記第１の情報に基づく前記露出制御の実行は、
前記第２処理と並列に処理される
ことを特徴とする電子カメラ。
【請求項９】
請求項７又は請求項８のいずれかに記載の電子カメラであって、
前記第１処理は、
電源投入後に前記表示に前記画像が表示される前に行われる
ことを特徴とする電子カメラ。
【発明の詳細な説明】
【技術分野】
【０００１】
本発明は、電子カメラに関する。
【背景技術】
【０００２】
コンパクトデジタルカメラなどの電子カメラでは、撮像素子が撮像した画像を撮影前に確認のために、液晶モニタにリアルタイムで表示（以降、”スルー画表示”と呼ぶ）するものがある。そのような構成の電子カメラでは、露出制御のための測光を、撮像用に設けられた撮像素子が兼ねるものがある（例えば、特許文献１参照）。
近年、電子カメラでは、高性能・多機能化の傾向にあり、搭載される機能が増加する傾向にある。
【先行技術文献】
【特許文献】
【０００３】
【特許文献１】特開２００９−４９９２７号公報
【特許文献２】特開２００４−２６６３６２号公報
【発明の概要】
【発明が解決しようとする課題】
【０００４】
高画質、高度な画像補正、動き検出など多機能化が図られたスルー画解析処理機能を備える電子カメラでは、機能の増加に伴ってスルー画表示処理に係るプログラム量が増大する。図３に示される電源投入後のタイミングチャートに基づいた制御では、時刻Ｔ１で電源が投入された後、時刻Ｔ２Ａに到るまでに、撮像を開始できる状態にあるのにもかかわらず、撮影できる画像をスルー画として確認できるタイミングが時刻Ｔ４以降となる。つまり、時刻Ｔ２から時刻Ｔ３までの期間として示されるスルー画表示用プログラムのロードおよび初期化のために時間が長くなることにより、そのスルー画表示用プログラムによる処理を開始する準備が完了しないことから、露出制御処理を開始するタイミングが遅くなる。そのため、露出制御処理が時刻Ｔ３から開始することとなり、電源投入から撮影可能となるまでの時間を短縮するためのボトルネックとなる場合がある。
【０００５】
本発明は、上記問題を解決すべくなされたもので、その目的は、電源投入から撮影可能とするまでの時間を短縮できる電子カメラを提供することにある。
【課題を解決するための手段】
【０００６】
上記問題を解決するために、本発明は、撮像素子が繰り返し撮像する画像を表示部に順次表示する電子カメラであって、前記画像に基づいて露出制御を行う露出制御部と、前記画像に基づいて前記表示部に表示する表示画像を生成する表示画像生成部と、前記露出制御部による前記露出制御を開始させ、前記露出制御が開始されてから前記表示画像生成部の初期化処理を開始させる順序制御を行う順序制御部とを備えることを特徴とする電子カメラである。
【発明の効果】
【０００７】
この本発明によれば、電源投入から撮影可能とするまでの時間を短縮することができる。
【図面の簡単な説明】
【０００８】
【図１】本発明の一実施形態による電子カメラの構成を示すブロック図である。
【図２】同実施形態による電子カメラの電源起動時の動作を示すタイミングチャートである。
【図３】従来の電子カメラの電源起動時の動作を示すタイミングチャートである。
【発明を実施するための形態】
【０００９】
以下、本発明の一実施形態について、図面を参照して説明する。
図１は、本実施形態による電子カメラの構成を示すブロック図である。
この図１に示される電子カメラ１は、電源ボタン１１、操作部材１２、補助記憶装置１３、メモリ部１４、表示制御部１５、モニタ部１６、画像圧縮部１７、記憶媒体１８、画像処理部１９、レンズ鏡筒２１、撮像素子２２、アナログデジタル（Ａ／Ｄ）変換部２３、露出ゲイン設定部２４、レンズ駆動制御部２５及び制御部３０を備える。
【００１０】
電源ボタン１１は、電子カメラ１の電源投入を制御するための電源スイッチである。電源ボタン１１は、ユーザーが行った電源投入を指示する操作を検出し、検出した電源制御指示情報を制御信号として制御部３０に供給する。
操作部材１２は、ユーザーの操作を検出し、検出した操作情報を制御信号として制御部３０に供給する。操作部材１２は、例えば、レリーズスイッチ、設定ボタンなどを備える。
補助記憶部１３は、制御部３０を動作させるプログラムや、撮像され生成された画像データ、ユーザーから入力された各種設定や撮像条件などの情報が記憶する不揮発性の記憶部である。補助記憶部１３に記憶されるプログラムは、初期起動制御、撮像制御、レンズ制御、露出制御、スルー画制御、その他ＧＵＩ（Graphical User Interface）プログラムなどが領域ごとに分割されて配置されている。このプログラム記憶領域に記憶されるプログラムは、状況に応じて圧縮されて記憶されていても良い。
メモリ部１４は、制御部３０の制御処理に用いられる一時的な情報の記憶領域であり、例えば、補助記憶部１３に記憶されたプログラムをロードして実行させるプログラム記憶領域を備える。メモリ部１４は、制御部３０がそのプログラムを実行する際に参照される。また、メモリ部１４は、撮像素子２２から出力される画像信号を記憶する撮像画像記憶領域や、画像信号に応じて生成された画像データなどを記憶する設定情報記憶領域などを備えてもよい。
【００１１】
表示制御部１５は、例えば、モニタ部１６の点灯、消灯や明るさ調整などの表示制御や、画像処理部１９から供給される画像データをモニタ部１６に表示させる処理を行う。
モニタ部１６は、供給される画像データを表示する。モニタ部１６は、例えば、液晶ディスプレイ（ＬＣＤ：Liquid Crystal Display）で構成される。
画像圧縮部１７は、メモリ部１４に記憶されている撮像された画像の圧縮伸張処理を行い、処理結果を改めてメモリ部１４に記憶させる。
記憶媒体１８は、例えば、本体から抜き差し可能な記憶媒体（メモリーカードなど）であり、制御部３０によって生成される画像データなどが記憶される。
【００１２】
画像処理部１９は、撮像素子２２からのベイヤー出力をモニタ表示画像に変換処理を行う回路のほかに、露出制御のためのＡＥ評価値算出回路を含んでいる。
画像処理部１９は、撮像部２２によって検出された画像信号がＡ／Ｄ変換部２３を介して供給され、モニタ部１６への表示、メモリ部１４への記録などに必要な変換処理、およびＡＥ評価値算出処理を行う。
【００１３】
レンズ鏡筒２１は、撮像素子２２への光の出力を調整する光学素子と、その光学素子などを保護する構造を備えている。
撮像素子２２は、ＣＣＤ（Charge Coupled Device）或いはＣＭＯＳ（Complementary Metal Oxide Semiconductor）センサーなどの受光素子であり、レンズ鏡筒２１から出力され結像された像を電気信号に変換してアナログの画像信号を出力する。撮像素子２２には、Ａ／Ｄ変換部２３と、露出ゲイン設定部２４とが接続されている。なお、撮像素子２２、及び、次に説明するＡ／Ｄ変換部２３と露出ゲイン設定部２４をまとめて示す場合には、撮像部という。
Ａ／Ｄ変換部２３は、撮像素子２２が出力する画像信号を増幅し、デジタル信号に変換する。
露出ゲイン設定部２４は、ＡＥ制御部３６により求められた制御量に基づいて、撮像素子２２の電荷蓄積時間およびＡ／Ｄ変換部２３の増幅量を変化させる。
レンズ駆動制御部２５は、制御部３０からの制御信号に応じてレンズ鏡筒２１をモーターなどのアクチュエータによって駆動して、撮像素子２２への光の出力を調整する。また、レンズ駆動制御部２５は、レンズ鏡筒２１に設けられた各種センサー、エンコーダの情報を収集し、制御部３０に通知する。
【００１４】
制御部３０は、補助記憶部１３に記憶されたプログラムに基づいて電子カメラ１の各部の動作を制御するＣＰＵ（Central Processing Unit）などからなる。例えば、制御部３０は、操作部材１２に入力されるユーザーからの操作情報に応じて、電子カメラ１の電源の投入、レンズ駆動制御部２５を介したレンズ鏡筒２１の駆動制御、露出ゲイン設定部２４を介した撮像素子２２の駆動制御、表示制御部１５を介したモニタ部１６の表示制御、撮像素子２２で検出した被写体の撮影処理、画像処理部１９を介した撮影した画像信号に基づく画像データ作成の制御を行う。
【００１５】
制御部３０は、基本制御部３１、入出力処理部３２、レンズ制御部３３、撮像制御部３４、露出（ＡＥ）制御部３６、画像処理制御部３７、表示制御部３８及び記録制御部３９を備える。
基本制御部３１は、電子カメラ１の各部の動作を制御する制御信号を生成し、生成した制御信号を当該各部に供給し、必要な制御を行わせる。基本制御部は、例えば、電子カメラ１における電源制御を行う。電源ボタン１１において検出された指示に基づいて、電子カメラ１を撮影可能な状態に遷移させ、或いは、撮影可能な状態から撮影を行わない待機状態（スタンバイ状態）への遷移を制御する。
入出力処理部３２は、操作部材において検出されたユーザーの操作に基づいた検出信号を判定し、基本制御部３１に供給する。
レンズ制御部３３は、各部からの制御に基づいて、撮影に必要とされる状態にレンズ鏡筒２１を制御する。レンズ制御部３３は、基本制御部３１から撮像処理開始命令が入力されるとレンズ鏡筒２１を駆動させ、撮影可能な状態とする。レンズ制御部３３は、レンズ駆動制御部２５を介してレンズ鏡筒２１のフォーカシング、露出制御、ズーミングなどの制御を行う。
撮影制御部３４は、ユーザーの操作入力に基づいた撮影処理を制御するための撮影処理開始指令又は撮影処理終了指令などの制御信号が操作部材１２から入力されることに応じて、各部に対して必要な制御信号を出力する。撮影制御部３４は、撮像処理開始命令が入力されるとレンズ制御部３３を介してレンズ鏡筒２１を駆動させ、画像データを生成する撮像処理を行う。
【００１６】
露出（ＡＥ）制御部３６は、撮像素子２２から出力された画像信号に基づいて画像処理部１９を介して検出されたＡＥ評価値によって示される輝度が、予め定められる所望の範囲になるように露出ゲイン設定部２４を制御する。
画像処理制御部３７は、撮像素子２２によって検出された画像信号に基づいて、デモザイク、ノイズリダクション、解像度変換などの信号処理を行って画像データを作成する処理、および、作成した画像データをメモリ部１４に記憶させる処理を、画像処理部１９を介して行わせる。
表示制御部３８は、画像処理部１９によって生成されメモリ部１４に記憶された画像データを一定時間間隔毎に読み出し、読み出した画像データをリアルタイムにモニタ部１６に出力する。ここで、一定時間間隔とは、例えば１／６０秒であり、この場合、表示制御部３８によって１秒間に６０フレームの画像データがスルー画としてモニタ部１６に表示され、画像圧縮部１７によって予め定められた圧縮率で圧縮され動画像としてメモリ部１４に記録される。
記録制御部３９は、撮像素子２２によって撮像された画像信号を一時的にメモリ部１４に記憶させ、メモリ部１４から補助記憶部１３又は記憶媒体１８に記憶させる。
【００１７】
図２は、電子カメラの電源起動時の動作を示すタイミングチャートである。
この図の縦軸には、上から順に初期プログラムロード処理、ＯＳ起動処理、撮像レンズ鏡筒初期化処理、露出制御部初期化処理、露出制御部プログラムロード処理、初期露出制御処理、スルー画制御プログラムロード処理、スルー画制御部初期化処理、モニタ表示画像作成処理、その他ＧＵＩ等プログラムロード処理が示される。
横軸は、電源ボタン１１が操作され、スタンバイ状態から電源投入状態への遷移指示を検出した時点を起点とした時間の経過を示す。
各処理は、正論理によって表されるパルスの幅で示される期間が、継続して処理されている状態を示すこととする。すなわち、「Ｈ」状態が、それぞれの処理を実行している状態であり、「Ｌ」状態が、それぞれの処理を休止している状態である。
【００１８】
初期プログラムロード処理、ＯＳ起動処理、露出制御部プログラムロード処理、スルー画制御プログラムロード処理、及び、その他ＧＵＩ等プログラムロード処理は、基本制御部３１によって補助記憶部１３に記憶されているそれぞれのプログラムを参照し、メモリ部１４に設けられた記憶領域に記録して、プログラムを実行可能な状態とする処理である。
撮像レンズ鏡筒初期化処理は、レンズ制御部３３によってレンズ駆動制御部２５を介してレンズ鏡筒２１を制御する処理である。
露出制御部初期化処理は、後述のＡＥ制御部３６による制御を開始可能にする処理である。
初期露出制御処理は、撮像素子２２によって検出された画像信号に基づいて、ＡＥ制御部３６による露出の適正化を行うための処理である。
スルー画制御初期化処理は、後述の画像処理制御部３７、表示制御部３８による制御を開始可能にする処理である。
モニタ表示用画像作成処理は、画像処理制御部３７、表示制御部３８によって行われる、撮像素子２２によって撮像された画像信号を、画像処理部１９を介してモニタ表示用の画像データとして作成し、作成したモニタ表示用画像データを、表示制御部３８を介してモニタ部１６に表示させる処理である。
【００１９】
時刻Ｔ１以前の状態では、図２に示される全ての処理が実行されていないスタンバイ状態を示す。
スタンバイ状態では、基本制御部３１における電源投入検出処理のように、スタンバイ状態からの電源起動処理を行わせるために必要とされる最低限の処理が行われているが、図示を省略する。
【００２０】
最初に、電源ボタン１１が操作されたことを基本制御部３１が検出する（時刻Ｔ１）。
基本制御部３１は、電源ボタン１１が操作されたことを検出すると、初期プログラムをロードする初期プログラムロード処理を開始する（時刻ｔ１１）。
また、基本制御部３１は、初期プログラムロード処理が完了すると、ロード処理された初期プログラムにしたがって、続けてオペレーティングシステムを起動させる（時刻ｔ１２）。基本制御部３１は、オペレーティングシステムの起動が完了した状態（時刻ｔ１３）に遷移すると、撮像制御部３４による撮像制御部初期化処理、及び、レンズ制御部３３によるレンズ制御部初期化処理を開始させる。撮像制御部初期化処理では、撮像制御部３４によって撮像素子２２、Ａ／Ｄ変換部２３及び露出ゲイン設定部２４を撮像可能な状態とする処理が行われる。また、レンズ制御部初期化処理では、レンズ制御部３３によってレンズ駆動制御部２５を撮影可能な状態とする処理が行われる。そして、撮像制御部初期化処理及びレンズ制御部初期化処理は、それぞれ時刻ｔ１４までに完了する。
【００２１】
また、基本制御部３１は、処理中の撮像制御部初期化処理及びレンズ制御部初期化処理と並行して、スルー画表示を行うための処理を開始する。まず、露出制御プログラムのロードする露出制御プログラムロード処理を開始する（時刻Ｔ２（ｔ２１））。
また、基本制御部３１は、露出制御プログラムロード処理が完了すると、続けて露出制御部３４による露出制御部初期化処理を開始させる（時刻ｔ２２）。
そして、露出制御部３４は、露出制御部初期化処理を完了すると、初期露出制御処理を開始する（時刻Ｔ３Ａ（ｔ２３））。初期露出制御処理は、画像処理部１９におけるＡＥ評価値算出回路の動作を開始させ、撮像素子２２で撮像された信号の値が、予め定められる所望の範囲に収まるように、露出が適切な値となるように収束させていく処理を示す（詳細な処理については、例えば、特許文献２を参照する）。そして、露出制御部３４は、初期露出制御処理を時刻ｔ２４までに完了する。この時刻ｔ２３から時刻ｔ２４の期間では、撮像素子２２から出力される信号は、初期露出制御処理においてのみ用いられる。
【００２２】
図２に示されるように、時刻ｔ２２から時刻ｔ２３までの期間に、撮像制御部初期化処理及びレンズ制御部初期化処理が完了（時刻ｔ１４）したとする。すでに、時刻ｔ１４の時点では、撮像素子２２を含む撮像部、並びに、撮像素子２２までの光学系は、初期化され、撮像開始が可能な状態にある。そこで、基本制御部３１は、処理中の露出制御部初期化処理又は初期露出制御処理と並行して、スルー画処理プログラムのロード処理を開始する（時刻Ｔ２Ａ（ｔ３１））。以上の処理と並行して、モニタ表示画像作成処理プログラムをロードする。
また、基本制御部３１は、スルー画処理プログラムのロード処理が完了すると、続けて画像処理制御部３７によるスルー画制御部初期化処理を開始させる（時刻ｔ３２）。そして、画像処理制御部３７は、スルー画制御部初期化処理を時刻ｔ３３までに完了する。
表示制御部３８は、スルー画制御部初期化処理が完了すると、続けて、モニタ画像作成処理を開始する（時刻ｔ３３）。
【００２３】
時刻ｔ３３においてモニタ画像作成処理が開始され、また、時刻ｔ２４において初期露出制御処理が完了すると、適正露出のスルー画表示を行える状態となり、生成された適正露出の画像がリアルタイムで、表示制御部１５を介して画像モニタ部１６に表示される（時刻Ｔ４）。
【００２４】
本実施形態として示したように、初期プログラムロード処理、ＯＳ起動処理、及び、撮像レンズ鏡筒初期化処理は、一連の処理として順に応じて処理される。また、露出制御プログラムロード処理、露出制御部初期化処理、及び、初期露出制御処理は、一連の処理として順に応じて処理される。さらに、スルー画制御プログラムロード処理とスルー画制御部初期化処理は、順に応じて処理される。そして、上記に示したそれぞれの一連の処理と、モニタ表示画像作成処理、その他ＧＵＩ等プログラムロード処理は、並列して処理可能である。
このように、露出制御のプログラムとモニタ表示用画像作成プログラムを分割して、ロード・初期化を並列で行うことにより、適正露出のスルー画が表示されるまでの時間を最適化して、撮影を可能とするまでの時間を短縮することができるようになる。
【００２５】
なお、本発明の実施形態の電子カメラ１において、撮像素子２２が繰り返し撮像する画像を表示部１６に順次表示する。ＡＥ制御部３６（露出制御部）は、画像に基づいて露出制御を行う。画像処理部１９（表示画像生成部）は、画像に基づいて表示部１６に表示する表示画像を生成する。基本制御部３１（順序制御部）は、ＡＥ制御部３６による露出制御を開始させ、露出制御が開始されてから画像処理部１９による前記表示画像の生成を開始させる順序制御を行う。
これにより、電源投入から撮影可能とするまでの時間を短縮することができる。
【００２６】
また、本実施形態では、基本制御部３１は、ＡＥ制御部３６と画像処理部１９とに対する順序制御を電源投入後に行われる起動時の処理として行わせる。
これにより、基本制御部３１は、ＡＥ制御部３６と画像処理部１９に対する順序制御を行うことにより電源投入から撮影可能とするまでの時間を短縮することができる。
【００２７】
また、本実施形態では、ＡＥ制御部３６は、画像処理部１９が行う表示画像の生成と並行して露出制御を行うことができることから、電源投入から撮影可能とするまでの時間を短縮することができる。
【００２８】
また、本実施形態では、基本制御部３１は、ＡＥ制御部３６による露出制御を行っている間に、画像処理部１９による表示画像の生成を開始させることができることから、電源投入から撮影可能とするまでの時間を短縮することができる。
【００２９】
また、本実施形態では、基本制御部３１は、ＡＥ制御部３６の初期化処理を、画像処理部１９による表示画像生成より先に行わせることができることから、電源投入から撮影可能とするまでの時間を短縮することができる。
【００３０】
また、本実施形態では、基本制御部３１は、ＡＥ制御部３６の初期化処理を、画像処理部１９の初期化処理より先に行わせることができることから、電源投入から撮影可能とするまでの時間を短縮することができる。
【００３１】
また、本実施形態では、補助記憶部１３（第１記憶部）は、ＡＥ制御部３６と表示画像生成部を機能させるプログラム（処理手順を機能させる情報）を不揮発的に保持する。メモリ１４（第２記憶部）は、補助記憶部１３に記憶されたプログラムが書き込まれる。基本制御部３１は、補助記憶部１３に記憶された、ＡＥ制御部３６が露出制御を行い撮影可能な状態とする処理手順を示すＡＥ制御部３６を機能させるプログラム（第１の情報）を、メモリ部１４に記憶させるプログラムのロード処理（第１処理）を備える。また、基本制御部３１は、補助記憶部１３に記憶された、画像処理部１９が画像に基づいてモニタ部１６に表示する表示画像を生成するプログラム（処理手順を示す第２の情報）を、メモリ部１４に記憶させるプログラムのロード処理（第２処理）を備える。そして、ＡＥ制御部３６を機能させるプログラムのロード処理は、表示画像を生成するプログラムのロード処理と独立して、表示画像を生成するプログラムのロード処理より先に行われる。
これにより、それぞれの処理のプログラムのロード処理のタイミングを分離して調整することができることから、電源投入から撮影可能とするまでの時間を短縮することができる。
【００３２】
また、本実施形態では、ＡＥ制御部３６を機能させるプログラムの実行処理は、表示画像を生成するプログラムのロード処理と並列処理され、表示画像を生成するプログラムのロード処理より先に開始されることにより、電源投入から撮影可能とするまでの時間を短縮することができる。
【００３３】
また、本実施形態では、ＡＥ制御部３６を機能させるプログラムの実行処理は、電源投入後にモニタ部１６に画像が表示される前に行われる画像の露出を調整する露出制御処理であることから、電源投入から撮影可能とするまでの時間を短縮することができる。
【００３４】
以上、この発明の実施形態を、図面を参照して詳述してきたが、具体的な構成はこの実施形態に限られるものではない。
なお、本実施形態に示した構成を、コンパクトタイプの電子カメラに限らず、モニタ部などの表示部に画像を表示するレンズ交換型の電子カメラ、携帯型のビデオカメラ、電子カメラ機能付き携帯端末装置などに適用可能である。
【符号の説明】
【００３５】
１  電子カメラ
１６  モニタ部（表示部）
１９  画像処理部（表示画像生成部）
２２  撮像素子
３０  制御部
３１  基本制御部（順序制御部）
３６  ＡＥ制御部（露出制御部）
【図１】
2011172010.tif 000003
【図２】
2011172010.tif 000004
【図３】
2011172010.tif 000005